(57)【要約】【課題】接続アダプタの使用後、混注部材との連通状態をオフにした際に、接続アダプタ内の残液が漏れないようにした接続器具を提供すること。【解決手段】接続器具１は、接続アダプタ10と接続カバー５及び混注部材20を有する。接続アダプタ10は、中間部12の側部の二方向に一対の係止部12Ｋを突設し、末端部11の最末端ＤＥ側に第１の曲率を有するＲ部11Ｒを形成し、接続カバー５は、上部５Ｕの内壁の上部側から下部側に亘って、側部Ｓの二方向に一対の上部通路５ＰＵを形成し、内壁の下部Ｄ側に段部５ＵＤを形成し、側部Ｓの二方向に一対の係合部５ＵＭＤを形成している。混注部材20は、ポート21と栓体30とキャップ21Cを有する。栓体30は、略中央部の上部Ｕ側に突起部31を形成し、突起部31は略中心部の上部Ｕから下部Ｄ側に向けて細孔35を形成し、突起部31の上部Ｕ側は第２の曲率を有する略Ｒ状の溝部32を形成、または平坦に形成している。【選択図】図５
2016154843.tif 000002
【特許請求の範囲】
【請求項１】
接続アダプタ（１０、１０Ｌ）と、接続カバー（５）及び混注部材（２０）を有し、
前記接続アダプタ（１０、１０Ｌ）は、末端部（１１）と中間部（１２）と接続部（１３）を有し、
前記中間部（１２）は、末端（ＤＥ）側の側部（Ｓ）の二方向に、一対の係止部（１２Ｋ）を突設し、
前記末端部（１１）は、最末端（ＤＥ）側にＲ部（１１Ｒ）を形成し、当該Ｒ部（１１Ｒ）は小さな第１の曲率を有し、
前記接続カバー（５）は、上部（５Ｕ）と下部（５Ｄ）とを有し、
前記上部（５Ｕ）は、内壁の上部側から下部側に亘って、側部（Ｓ）の二方向に一対の上部通路（５ＰＵ）を形成し、
内壁の下部（Ｄ）側に段部（５ＵＤ）を形成し、さらに、側部（Ｓ）の二方向に一対の係合部（５ＵＭＤ）を形成し、
前記混注部材（２０）は、ポート（２１）と栓体（３０）とキャップ（２１Ｃ）を有し、
当該栓体（３０）は、略中央部の上部（Ｕ）側に、突起部（３１）を形成し、
当該突起部（３１）の略中心部の上部（Ｕ）から下部（Ｄ）側に向けて細孔（３５）を形成し、
前記突起部（３１）の上部（Ｕ）側は、略Ｒ状の溝部（３２）を形成するか、または平坦に形成し、前記略Ｒ状の溝部（３２）は、大きな第２の曲率を有し、
ことを特徴とする接続器具（１）。
【請求項２】
接続アダプタ（１０、１０Ｌ）の末端部（１１）のＲ部（１１Ｒ）の曲率半径（Ｒ１）、
接続アダプタ（１０、１０Ｌ）の末端部（１１）の長さを、長さ（１１Ｌ）、
接続カバー（５）の上部通路（５）の長さを、長さ（５ＰＵＬ）
栓体（３０）の突起部（３１）が溝部（３２）を有する場合、当該溝部（３２）の曲率半径を、曲率半径（Ｒ２）、
栓体（３０）の突起部（３１）の高さを、高さ（３１ＳＬ）、
栓体（３０）の突起部（３１）の溝部（３２）の深さを、深さ（３２Ｌ）と定めて、
前記曲率半径（Ｒ１）、長さ（１１Ｌ）、長さ（５ＰＵＬ）、曲率半径（Ｒ２）、高さ（３１ＳＬ）、深さ（３２Ｌ）の大きさの関係を、不等号＞、＜、≧で表すと、
曲率半径（Ｒ１）＜曲率半径（Ｒ２）、
長さ（１１Ｌ）＞長さ（５ＰＵＬ）、
高さ（３１ＳＬ）≧深さ（３２Ｌ）、
であることを特徴とする請求項１に記載の接続器具（１）。
【請求項３】
ポート（２１）の内部に栓体（３０）を収納し、当該ポート（２１）に、上部（Ｕ）側からキャップ（２１Ｃ）を装着し、
接続アダプタ（１０、１０Ｌ）の中間部（１２）の一対の係止部（１２Ｋ）と、
接続カバー（５）の上部（５Ｕ）の一対の上部通路（５ＰＵ）を、側部（Ｓ）の二方向の位置にあわせて接続状態とした時、
当該接続状態において、前記接続アダプタ（１０、１０Ｌ）のＲ部（１１Ｒ）の一部は、
前記栓体（３０）の突起部（３１）の上部Ｕ側内に食い込み、
当該突起部（３１）の外周（３１Ｓ）は、キャップ（２１Ｃ）の開口部内周（２１ＣＩＯ）側に押されて実質的に密着し、液密性を保持できるように形成した、ことを特徴とする請求項１または請求項２に記載の接続器具（１）。
【請求項４】
一対の係止部（１２Ｋ）を、側部（Ｓ）の二方向の位置から他の側部（Ｓ）の二方向の位置へ略９０°回転させることにより、
前記係止部（１２Ｋ）を前記接続カバー（５）の係合部（５ＵＭＤ）に係合して固定状態とすることができる、ことを特徴とする請求項１から請求項３のいずれか１項に記載の接続器具（１）。
【請求項５】
接続アダプタ（１０、１０Ｌ）と、接続カバー（５）及び混注部材（２０）を有し、
前記接続アダプタ（１０、１０Ｌ）は、末端部（１１）と中間部（１２）と接続部（１３）を有し、
前記末端部（１１）は、最末端（ＤＥ）側にＲ部（１１Ｒ）を形成し、
前記中間部（１２）は末端（ＤＥ）側の側部（Ｓ）の二方向に、一対の係止部（１２Ｋ）を突設し、
前記接続カバー（５）は、上部（５Ｕ）と下部（５Ｄ）とを有し、
前記上部（５Ｕ）は、内壁の上部側から下部側に亘って、側部（Ｓ）の二方向に一対の上部通路（５ＰＵ）を形成し、
内壁の下部（Ｄ）側に段部（５ＵＤ）を形成し、さらに側部（Ｓ）の二方向に一対の係合部（５ＵＭＤ）を形成し、
前記混注部材（２０）は、ポート（２１）と栓体（３０）とキャップ（２１Ｃ）を有し、
当該栓体（３０）は、略中央部の上部（Ｕ）側に、突起部（３１）を形成し、
前記突起部（３１）の上部（Ｕ）側に、略Ｒ状の溝部（３２）を形成するか、または平坦に形成し、
前記キャップ（２１Ｃ）は、略中央部に開口部（２１Ｏ）を有し、
前記ポート（２１）の内部に前記栓体（３０）を収納し、当該ポート（２１）に、上部（Ｕ）側からキャップ（２１Ｃ）を装着し、
前記接続アダプタ（１０、１０Ｌ）の一対の係止部（１２Ｋ）と、
前記接続カバー（５）の上部（５Ｕ）の一対の上部通路（５ＰＵ）を、側部（Ｓ）の二方向の位置にあわせて接続状態とした時に、
当該接続状態において、前記接続アダプタ（１０、１０Ｌ）のＲ部（１１Ｒ）の一部は、
前記栓体（３０）の突起部（３１）の上部Ｕ側内に食い込み、
突起部（３１）の外周（３１Ｓ）は、キャップ（２１Ｃ）の開口部内周（２１ＣＩＯ）側に押されて実質的に密着し、液密性を保持できるように形成した、ことを特徴とする接続器具（１）。
【請求項６】
接続部（１３）は、末端（ＤＥ）側の側部（Ｓ）の二方向に下部突起部（１３ＴＤＬ）を形成し、
当該下部突起部（１３ＴＤＬ）は、係止部（１２Ｋ）と略９０度交差する他の側部（Ｓ）の二方向に一対形成し、
下部突起部（１３ＴＤＬ）の側部（Ｓ）方向の長さ（１３ＴＤＬＬ）は、
接続カバー（５）の下部（５Ｄ）の天面壁（５ＤＵＷ）の側部（Ｓ）方向の長さ（５ＤＵＷＬ）：１００に対して、
６０から１２０に形成した、ことを特徴とする請求項１から請求項５のいずれか１項に記載の接続器具（１）。
【請求項７】
接続アダプタ（１０、１０Ｌ）と混注部材（２０）の液体流路（ＬＰ）が遮断状態となっているオフ状態では、
下部突起部（１３ＴＤＬ）は、混注部材（２０）のチューブ接続管（２２）の長手方向と略９０度交差した方向を向いた状態となり、
接続アダプタ（１０、１０Ｌ）と混注部材（２０）の液体流路（ＬＰ）が連通状態となっているオン状態では、
下部突起部（１３ＴＤＬ）は、同チューブ接続管（２２）の長手方向と実質的に略平行状態となる、
ことを特徴とする請求項１から請求項６のいずれか１項に記載の接続器具（１）。
【請求項８】
接続カバー（５）は、下部（５Ｄ）の天面壁（５ＤＵＷ）に、チューブ接続管（２２）の長手方向である側部（Ｓ）の二方向に沿うように一対のマーカー（５Ｍ）を形成した、ことを特徴とする請求項１から請求項７のいずれか１項に記載の接続器具（１）。
【発明の詳細な説明】
【技術分野】
【０００１】
本発明は、薬液等を注入する接続器具の改良に関するもので、接続アダプタの使用後、混注部材との連通状態をオフにした際に、接続アダプタ内の残液が漏れないようにした接続器具に関する。
本発明の接続器具は、血液回路、薬液容器、輸血・輸液セット等の医療用具に使用される。
【背景技術】
【０００２】
出願人は、特許文献１に、アダプタ１１０と混注部材１２０の液体流路ＬＰの開閉操作のメリハリ（区別）を明瞭にすることができる接続部材１０１の発明を開示した。
当該接続部材１０１は、図１１に示すように、接続アダプタ１１０と接続カバー１０５を有する。接続アダプタ１１０は側部Ｓの二方向に、一対の係止部１１２Ｋを突設している。接続カバー１０５は上部１０５Ｕ内壁の上部側から下部側に亘って、側部Ｓの二方向に一対の上部通路１０５ＰＵを形成し、上部１０５Ｕ内壁の下部Ｄ側に、側部Ｓの二方向に一対の係合部（図示せず、特許文献１参照）を形成している。
アダプタ１１０の係止部１１２Ｋを、接続カバー１０５の上部通路１０５ＰＵから差し込み、アダプタ１１０を下部Ｄ側に垂下させ、側部Ｓの二方向から他の側部Ｓの二方向へ略９０°回動させ、係止部１１２Ｋを接続カバー１０５の係合部をに係合して固定して、薬液等を液体流路ＬＰに注入する。
特許文献２には、（特許文献２に記載の符号は〈  〉を付けた。）
先端〈３３０、３５６〉の形状を鈍くしたカニューレ〈３１０、３４０〉の発明が開示されている。
【０００３】
特許文献３には、（特許文献３に記載の符号は〈  〉を付けた。）
ニードルレス注射筒の挿入又は抜去時の薬液の漏れがなく、保護キャップの熱処理時における変形のない優れた弁体及びそれを収納するニードルレスＴ字管の発明が開示されている。
弁体〈１１〉は、円筒からなり、上面〈１３〉は凹面状〈１３ａ〉に形成している。上面〈１３〉の中央部には同心円状の円状凸部〈１２〉を形成し、当該円状凸部〈１２〉の上面は凹面〈１２ａ〉に形成している。
また弁体〈１１〉の下面〈１４〉には外方向の曲面〈１４ａ〉を形成し、下面〈１４〉には中央部に同心円状に凹部〈１５〉を形成している。
上面〈１３〉及び下面〈１４〉はアーチ状でかつ平行に形成している。
さらに、ニードルレスＴ字管の弁体収納部の底面は、中央部方向に低くなるように傾斜している。
【先行技術文献】
【特許文献】
【０００４】
【特許文献１】特願２０１４−第１８９８３８号（特許請求の範囲、図面）
【特許文献２】特平５−３２０７１号（図３５、図３６、図３９）
【特許文献３】登録実用新案第３１８９３３０号公報
【発明の概要】
【発明が解決しようとする課題】
【０００５】
特許文献１に記載の発明は、接続アダプタ１１０を、栓体１３０に接続して、混注部材１２０の液体通路ＬＰ内に連通し、薬液等を注入し終えた後、混注部材１２０の液体通路ＬＰ内との連通状態をオフ状態（図１１参照）に戻した時に、接続アダプタ１１０の末端部１１１の最末端の外周と、キャップ１２１Ｃの開口部内周１２１ＣＯＩとの間に空間ＳＰが存在するので、接続アダプタ１１０内に残存している薬液が空間ＳＰ内に逆流し、キャップ１２１Ｃと接続カバー１０５の間の隙間から外部に漏出する等の課題が指摘された。
【０００６】
なお特許文献２に記載の発明のみ、または特許文献３に記載の発明のみでは、接続カバーの具体的な記載がないので、前記特許文献１に記載の課題をどのように解決するのか不明であり、課題の解決は困難である。
そこで、本発明者は以上の課題を解決するために鋭意検討を重ねた結果、次の発明に到達した。
【課題を解決するための手段】
【０００７】
［１］本発明は、接続アダプタ（１０、１０Ｌ）と、接続カバー（５）及び混注部材（２０）を有し、
前記接続アダプタ（１０、１０Ｌ）は、末端部（１１）と中間部（１２）と接続部（１３）を有し、
前記中間部（１２）は、末端（ＤＥ）側の側部（Ｓ）の二方向に、一対の係止部（１２Ｋ）を突設し、
前記末端部（１１）は、最末端（ＤＥ）側にＲ部（１１Ｒ）を形成し、当該Ｒ部（１１Ｒ）は小さな第１の曲率を有し、
前記接続カバー（５）は、上部（５Ｕ）と下部（５Ｄ）とを有し、
前記上部（５Ｕ）は、内壁の上部側から下部側に亘って、側部（Ｓ）の二方向に一対の上部通路（５ＰＵ）を形成し、
内壁の下部（Ｄ）側に段部（５ＵＤ）を形成し、さらに、側部（Ｓ）の二方向に一対の係合部（５ＵＭＤ）を形成し、
前記混注部材（２０）は、ポート（２１）と栓体（３０）とキャップ（２１Ｃ）を有し、
当該栓体（３０）は、略中央部の上部（Ｕ）側に、突起部（３１）を形成し、
当該突起部（３１）の略中心部の上部（Ｕ）から下部（Ｄ）側に向けて細孔（３５）を形成し、
前記突起部（３１）の上部（Ｕ）側は、略Ｒ状の溝部（３２）を形成するか、または平坦に形成し、前記略Ｒ状の溝部（３２）は、大きな第２の曲率を有する接続器具（１）を提供する。
【０００８】
[２]本発明は、接続アダプタ（１０、１０Ｌ）の末端部（１１）のＲ部（１１Ｒ）の曲率半径（Ｒ１）、
接続アダプタ（１０、１０Ｌ）の末端部（１１）の長さを、長さ（１１Ｌ）、
接続カバー（５）の上部通路（５）の長さを、長さ（５ＰＵＬ）
栓体（３０）の突起部（３１）が溝部（３２）を有する場合、当該溝部（３２）の曲率半径を、曲率半径（Ｒ２）、
栓体（３０）の突起部（３１）の高さを、高さ（３１ＳＬ）、
栓体（３０）の突起部（３１）の溝部（３２）の深さを、深さ（３２Ｌ）と定めて、
前記曲率半径（Ｒ１）、長さ（１１Ｌ）、長さ（５ＰＵＬ）、曲率半径（Ｒ２）、高さ（３１ＳＬ）、深さ（３２Ｌ）の大きさの関係を、不等号＞、＜、≧で表すと、
曲率半径（Ｒ１）＜曲率半径（Ｒ２）、
長さ（１１Ｌ）＞長さ（５ＰＵＬ）、
高さ（３１ＳＬ）≧深さ（３２Ｌ）、
である[１]に記載の接続器具（１）を提供する。
[３]本発明は、ポート（２１）の内部に栓体（３０）を収納し、当該ポート（２１）に、上部（Ｕ）側からキャップ（２１Ｃ）を装着し、
接続アダプタ（１０、１０Ｌ）の中間部（１２）の一対の係止部（１２Ｋ）と、
接続カバー（５）の上部（５Ｕ）の一対の上部通路（５ＰＵ）を、側部（Ｓ）の二方向の位置にあわせて接続状態とした時、
当該接続状態において、前記接続アダプタ（１０、１０Ｌ）のＲ部（１１Ｒ）の一部は、
前記栓体（３０）の突起部（３１）の上部Ｕ側内に食い込み、
当該突起部（３１）の外周（３１Ｓ）は、キャップ（２１Ｃ）の開口部内周（２１ＣＩＯ）側に押されて実質的に密着し、液密性を保持できるように形成した[１]または[２]に記載の接続器具（１）。
[４]本発明は、一対の係止部（１２Ｋ）を、側部（Ｓ）の二方向の位置から他の側部（Ｓ）の二方向の位置へ略９０°回転させることにより、
前記係止部（１２Ｋ）を前記接続カバー（５）の係合部（５ＵＭＤ）に係合して固定状態とすることができる[１]から[３]のいずれか１つに記載の接続器具（１）を提供する。
【０００９】
[５]本発明は、接続アダプタ（１０、１０Ｌ）と、接続カバー（５）及び混注部材（２０）を有し、
前記接続アダプタ（１０、１０Ｌ）は、末端部（１１）と中間部（１２）と接続部（１３）を有し、
前記末端部（１１）は、最末端（ＤＥ）側にＲ部（１１Ｒ）を形成し、
前記中間部（１２）は末端（ＤＥ）側の側部（Ｓ）の二方向に、一対の係止部（１２Ｋ）を突設し、
前記接続カバー（５）は、上部（５Ｕ）と下部（５Ｄ）とを有し、
前記上部（５Ｕ）は、内壁の上部側から下部側に亘って、側部（Ｓ）の二方向に一対の上部通路（５ＰＵ）を形成し、
内壁の下部（Ｄ）側に段部（５ＵＤ）を形成し、さらに側部（Ｓ）の二方向に一対の係合部（５ＵＭＤ）を形成し、
前記混注部材（２０）は、ポート（２１）と栓体（３０）とキャップ（２１Ｃ）を有し、
当該栓体（３０）は、略中央部の上部（Ｕ）側に、突起部（３１）を形成し、
前記突起部（３１）の上部（Ｕ）側に、略Ｒ状の溝部（３２）を形成するか、または平坦に形成し、
前記キャップ（２１Ｃ）は、略中央部に開口部（２１Ｏ）を有し、
前記ポート（２１）の内部に前記栓体（３０）を収納し、当該ポート（２１）に、上部（Ｕ）側からキャップ（２１Ｃ）を装着し、
前記接続アダプタ（１０、１０Ｌ）の一対の係止部（１２Ｋ）と、
前記接続カバー（５）の上部（５Ｕ）の一対の上部通路（５ＰＵ）を、側部（Ｓ）の二方向の位置にあわせて接続状態とした時に、
当該接続状態において、前記接続アダプタ（１０、１０Ｌ）のＲ部（１１Ｒ）の一部は、
前記栓体（３０）の突起部（３１）の上部Ｕ側内に食い込み、
突起部（３１）の外周（３１Ｓ）は、キャップ（２１Ｃ）の開口部内周（２１ＣＩＯ）側に押されて実質的に密着し、液密性を保持できるように形成した接続器具（１）を提供する。
【００１０】
[６]本発明は、接続部（１３）は、末端（ＤＥ）側の側部（Ｓ）の二方向に下部突起部（１３ＴＤＬ）を形成し、
当該下部突起部（１３ＴＤＬ）は、係止部（１２Ｋ）と略９０度交差する他の側部（Ｓ）の二方向に一対形成し、
下部突起部（１３ＴＤＬ）の側部（Ｓ）方向の長さ（１３ＴＤＬＬ）は、
接続カバー（５）の下部（５Ｄ）の天面壁（５ＤＵＷ）の側部（Ｓ）方向の長さ（５ＤＵＷＬ）：１００に対して、
６０から１２０に形成した[１]から[５]のいずれか１つに記載の接続器具（１）を提供する。
[７]本発明は、接続アダプタ（１０、１０Ｌ）と混注部材（２０）の液体流路（ＬＰ）が遮断状態となっているオフ状態では、
下部突起部（１３ＴＤＬ）は、混注部材（２０）のチューブ接続管（２２）の長手方向と略９０度交差した方向を向いた状態となり、
接続アダプタ（１０、１０Ｌ）と混注部材（２０）の液体流路（ＬＰ）が連通状態となっているオン状態では、
下部突起部（１３ＴＤＬ）は、同チューブ接続管（２２）の長手方向と実質的に略平行状態となる[１]から[６]のいずれか１つに記載の接続器具（１）。
[８]本発明は、接続カバー（５）は、下部（５Ｄ）の天面壁（５ＤＵＷ）に、チューブ接続管（２２）の長手方向である側部（Ｓ）の二方向に沿うように一対のマーカー（５Ｍ）を形成した[１]から[７]のいずれか１つに記載の接続器具（１）を提供する。
【発明の効果】
【００１１】
本発明の接続器具（１）によれば、
［１］アダプタ１０、１０Ｌの外部［Ｒ部１１Ｒの略Ｒ状部分の外周（側面部）］をシールする機能を発現させることができるので、実質的に液密性を保持することができる。
したがって、薬液等の注入後、第一状態（接続状態、オフ状態）に戻った時、接続アダプタ１０内に薬液等が残っていても、薬液等が接続アダプタ１０の開口部１１Ｏから栓体３０の突起部３１の外部に漏れることはない。
［２］栓体３０の突起部３１の外周３１Ｓとキャップ２１Ｃの開口部内周２１ＣＯＩとの間には、段差、隙間がなくなるので、外観が良くなり、溝３２の内部に残った薬液等の残液がふき取りやすくなる。
【図面の簡単な説明】
【００１２】
【図１】図１は、本発明の接続器具１を構成する接続アダプタ１０を、第１側部Ｓ１方向から見た側面図である。（Ａ）は全体図。（Ｂ）は（Ａ）の一部拡大図。
【図２】図２は、接続アダプタ１０を、第１側部Ｓ１−第４側部Ｓ４−上部Ｕ方向から見た斜視図である。（Ａ）は全体図。（Ｂ）は（Ａ）の一部拡大図。
【図３】図３は、本発明の接続器具１を構成する接続カバー５を、第１側部Ｓ１−第４側部Ｓ４−上部Ｕ方向から見た斜視図である。
【図４】図４は、接続カバー５の平面と断面図である。（Ａ）は平面図。（Ｂ）は（Ａ）のＢ−Ｂ断面図。（Ｃ）は（Ａ）のＡ−Ａ断面図。
【図５】接続器具１（アダプタ１０、接続カバー５、混注部材２０を含む）の分解図で、第１側部Ｓ１−第３側部Ｓ３−上部Ｕ方向から見た斜視図である。
【図６】図６は、図５の混注部材２０の一部拡大断面図である。
【図７】図７は、栓体３０の断面図で、（Ａ）は全体図、（Ｂ）は（Ａ）の一部拡大図である。
【図８】図８は、本発明の接続器具１の第一状態（接続状態、オフ状態）を示している。（接続カバー５の位置を基準にして）（Ａ）はＳ１−Ｓ２方向断面図、（Ｂ）は（Ａ）の一部断面図である。
【図９】図９は、本発明の接続器具１の第三状態（固定状態、オン状態）を示している。（接続カバー５の位置を基準にして）Ｓ１−Ｓ２方向断面図である。
【図１０】図１０は、本発明の接続器具１を第１側部Ｓ１−第３側部Ｓ３−上部Ｕ方向から見た斜視図である。（Ａ）は、第一状態（オフ状態）、（Ｂ）は、第三状態（固定状態、オン状態）を示している。
【図１１】図１１は、その他の実施例の接続アダプタ１０Ｌを、第１側部Ｓ１−第３側部Ｓ３−上部Ｕ方向から見た斜視図である。
【図１２】図１２は、図１１の接続アダプタ１０Ｌを有する接続器具１を第２側部Ｓ２−第３側部Ｓ３−上部Ｕ方向から見た斜視図で、第一状態（オフ状態）を示している。
【図１３】図１３は、図１２の第三状態（固定状態、オン状態）を示している。
【図１４】図１４は、従来の接続器具１０１の第一状態を示している。（接続カバー１０５の位置を基準にして）（Ａ）はＳ１−Ｓ２方向断面図。（Ｂ）は（Ａ）の一部断面図である。
【発明を実施するための形態】
【００１３】
以下、図面を参照しながら本発明を詳細に説明する。
以下、本発明を明確に説明するため、次の定義をおく。
（定義１）本発明の接続器具１において、「第一状態」（「接続状態」または「オフ状態」ともいう）とは、例えば図８に示すように、接続アダプタ１０を、接続カバー５に装着した状態で、接続アダプタ１０の末端部１１が、栓体３０を貫通していない状態を意味する。
【００１４】
（定義２）「第二状態」（「第二接続状態」または「セミオン状態」ともいう）とは、あえて図示しないが、接続アダプタ１０を、混注部材２０方向に垂下して、接続アダプタ１０の末端部１１を、栓体３０に貫通させた状態、さらにいえば、末端部１１の開口部１１Ｏが、混注部材２０の本体２０Ｈの液体流路ＬＰ内と連通した状態［液体（血液、薬液等）を注入できる状態］を意味する。
（定義３）「中間状態（移行状態ともいう）」とは、「第一状態」から「第二状態」へ移行する途中の状態を意味する。
（定義４）「第三状態」（「固定状態」または「オン状態」ともいう）とは、図９に示すように、第二状態からさらに接続アダプタ１０を略９０°回転して混合注部材２０に固定した状態［液体（血液、薬液等）を注入する状態］を意味する。
【００１５】
（定義５）本発明の接続アダプタ１０で、「基端ＰＥ側（または方向という場合がある）」とは、例えば図１、図２に示すように、接続部１３の突起部１３Ｔ側の端部を意味する。
「末端ＤＥ側（または方向という場合がある）」とは、図１、２に示すように、接続部１３の突起部１３Ｔ側の端部と反対側の端部を意味する。さらにいえば、末端部１１側の端部（Ｒ部１１Ｒ側）を意味する。
（定義５）本発明の接続器具１（接続カバー５、接続アダプタ１０及び混注部材２０）中の混注部材２０で、「上部Ｕ側（または方向という場合がある）」とは、例えば図５、図６、図８に示すように、図の上側（接続部１３の突起部１３Ｔ側の端部）を意味する。「下部Ｄ側（または方向という場合がある）」とは、例えば図５、図６、図８に示すように、混注部材２０の下部（底部）側の端部を意味する。
【００１６】
（定義６）本発明の接続器具１（接続カバー５、接続アダプタ１０及び混注部材２０）で、「第１側部Ｓ１側（または方向という場合がある）」とは、例えば図５、図８に示すように、図の右側の方向（図の破線矢印参照）を意味する。
「第２側部Ｓ２側（または方向という場合がある）」とは、例えば図５、図８に示すように、図の左側の方向（図の破線矢印参照）を意味する。
「第３側部Ｓ３側（または方向という場合がある）」とは、例えば図５、図８に示すように、図の正面側の方向（図の破線矢印参照）を意味する。
「第４側部Ｓ４側（または方向という場合がある）」とは、例えば図５、図８に示すように、図の背面側の方向（図の破線矢印参照）を意味する。
【００１７】
発明の説明の便宜上、接続カバー５は、上部５Ｕの一対の上部通路５ＰＵを形成した方向、接続アダプタ１０は、一対の係止部１２Ｋを形成した方向、混注部材２０は、一対のチューブ接続部２２を形成した方向を、第１側部Ｓ１−第２側部Ｓ２と記載した。
また単に側部Ｓ方向とは、前記第１側部Ｓ１から第４側部Ｓ４の全ての方向を含み、側部Ｓの二方向とは、例えば第１側部Ｓ１−第２側部Ｓ２方向、または第３側部Ｓ３−第４側部Ｓ４方向の二方向を意味する。
前記第１〜第４側部Ｓ１〜Ｓ４はあくまでも、説明の便宜上、位置を仮に特定したにすぎない。例えば見る方向を変えて、第１側部Ｓ１を第２側部Ｓ２と見る場合は、第２側部Ｓ２は第１側部Ｓ１となる。第３側部Ｓ３を第４側部Ｓ４と見る場合は、第４側部Ｓ４は第３側部Ｓ３となる。
【００１８】
（定義７）
本発明の接続アダプタ１０で、「長手方向」とは、「接続アダプタ１０」の長尺方向（長い方向）を意味する。
本発明の混注部材２０で、「長手方向」とは、「チューブ接続部２２」の長尺方向を意味する。
本発明の図面及び発明の説明の中で、例えば図４に例示するように、第１側部Ｓ１側の側壁５ＳＷを「５ＳＷＳ１」、第２側部Ｓ２側の側壁５ＳＷを、「５ＳＷＳ２」と記載した。
なおこれらの側壁５ＳＷ並びにこれら以外の各構成部品の名称で、「第１側部Ｓ１側」等の位置・配置等の方向性を示す符号は、発明の理解ができ、必要と認められる範囲内で、図面及び発明の説明の中で一部のみについて記載した。
【００１９】
［接続器具１］
本発明の接続器具１について、以下、図面を参照しながら説明する。
本発明の接続器具１は、接続アダプタ１０、接続カバー５及び混注部材２０を有する。
【００２０】
[接続アダプタ１０]
接続アダプタ１０は、図１から図２に例示するように、いわゆる「略管状」の形態を有する。
接続アダプタ１０は、上部Ｕから下部Ｄ方向に向けて、径（側部Ｓ方向の長さまたは大きさともいう）が最も大きな接続部１３、中間部１２及び、径が最も小さい末端部１１（針部または鈍針ともいう）を有する。
末端部１１の最末端ＤＥ側に、いわゆる略Ｒ（アール）状のＲ部１１Ｒ（曲面部、略半球部ともいう）を形成している。
Ｒ部１１Ｒは、小さな第１の曲率を有する。第１の曲率の曲率半径：Ｒ１は後述する。
Ｒ部１１Ｒは末端ＤＥ側に、血液、薬液等の液体注入口１１Ｏ（開口ともいう）を有する。
末端部１１の長さ（穿刺長ともいう）：１１Ｌは、図１（Ａ）に示すように、（後述する）鍔部１２Ｔ末端からＲ部１１Ｒ末端までの距離と定める。
また後述する末端部１１（Ｒ部１１Ｒ）が栓体３０（突起部３１）内へ最も深く押し込まれる（食い込む）長さを、押込長：１１Ｌ２と定める。（図８（Ｂ）参照）
接続アダプタ１０は基端ＰＥ側に、接続部１３を形成している。
接続部１３は基端ＰＥ側に、突起部１３Ｔを形成している。
突起部１３Ｔは、シリンジの接続部（ルアーロック部の螺子状の溝部を意味する。図示せず。）と接続できるように、いわゆる「螺子状」に形成している。
接続部１３は基端ＰＥ側に、キャップ１５を装着する。キャップ１５の内部には、
接続部１５Ｎ（ルアーロック部の螺子状の溝部）を形成している。
【００２１】
中間部１２は、末端ＤＥ側の側部Ｓ（外周）に、鍔部１２Ｔを形成している。
鍔部１２Ｔの径（外径）は、（後述する）接続カバー５の上部５Ｕの上部開口５ＯＵの径よりも若干大きく形成している。
これは鍔部１２Ｔが接続カバー５の上部開口５ＯＵを通過し、通過後は上部開口５ＯＵの周囲に形成されている上部突起５ＴＵの下部Ｄと係合できるようにするためである。
また末端ＤＥ側の側部Ｓの二方向（第１側部Ｓ１側と第２側部Ｓ２側）に、一対の係止部１２Ｋを突設している。係止部１２Ｋは、いわゆる突状の形態を有する。
接続部１３は、末端ＤＥ側の側部Ｓの二方向（第１側部Ｓ１側と第２側部Ｓ２側）に下部突起部１３ＴＤを形成している。
【００２２】
係止部１２Ｋと下部突起部１３ＴＤは、側部Ｓの実質的に同位置に配置している。
図１、図２に示すように、係止部１２Ｋと下部突起部１３ＴＤは、第１側部Ｓ１側（第２側部Ｓ２側）から見ても、第３側部Ｓ３側（第４側部Ｓ４側）から見ても、基端ＰＥ（末端ＤＥ）側から見ても、いわゆる「略矩形状」に形成している。
また下部突起部１３ＴＤは、図２のように斜め方向から見るといわゆる「湾曲した板状」に見える。
係止部１２Ｋと下部突起部１３ＴＤの側部Ｓ（縁部）は、共にいわゆる面取り（アール、Ｒ）が施されている。
【００２３】
[接続カバー５]
接続カバー５は、図３から図４に示すように、いわゆる「略円筒状」の形態を有し、上部５Ｕと下部５Ｄを有する。
径（側部Ｓ方向の大きさまたは長さ）は、下部５Ｄのほうが、上部５Ｕよりも大きく（長く）形成している。
上部５Ｕは、上部Ｕ側の略中央に上部開口部５ＯＵを有する。
上部５Ｕは、内壁の上部Ｕ側から下部側に亘って、側部Ｓの二方向（第１側部Ｓ１側と第２側部Ｓ２側）に一対の通路（上部通路５ＰＵ）を形成している。
また上部５Ｕは、図４に示すように内壁の上部Ｕ側（上部通路５ＰＵを形成している箇所を除いて）、いわゆる「略フランジ状または鍔状」の上部突起５ＴＵを形成している。
上部通路５ＰＵは、接続アダプタ１０が係止部１２Ｋとともに、第一状態から第二状態へ移動する通路である。
上部通路５ＰＵの長さ：５ＰＵＬは、図４（Ｂ）に示すように、上部突起５ＴＵの下部Ｄから上部通路５ＰＵの最下部Ｄまでの距離と定める。
接続アダプタ１０の末端部１１の長さ：１１Ｌは、５ＰＵＬよりも大きく（１１Ｌ＞５ＰＵＬ）形成している。（図８参照）
【００２４】
接続カバー５は、上部５Ｕの側部Ｓの二方向（第３側部Ｓ３側と第４側部Ｓ４側）に上側部突起５ＵＳＴを形成している。
図３の例示では、いわゆる「細長い角柱状」に形成している。
これにより接続アダプタ１０を接続カバー５に装着して、第一状態から第二状態を経て、後述する図８、図１０（Ｂ）のように、第三状態（前記段落［００１３］参照）にした時、
側部Ｓの二方向（第３側部Ｓ３側と第４側部Ｓ４側）から見て、下部突起部１３ＴＤ（より正確には略中央部）と上側部突起５ＵＳＴの位置が重なるので、第三状態を目視で容易に確認することができる。
【００２５】
また下部突起部１３ＴＤを側部Ｓ方向に大きく形成（突設）して、すなわち、下部突起部１３ＴＤの側部Ｓの二方向（第３側部Ｓ３側と第４側部Ｓ４側）の長さ（第３側部Ｓ３側端部と第４側部Ｓ４側端部間の距離）を上側部突起５ＵＳＴの側部Ｓの二方向（第３側部Ｓ３側と第４側部Ｓ４側）の長さ（第３側部Ｓ３側端部と第４側部Ｓ４側端部間の距離）よりも若干大きく形成して、下部突起部１３ＴＤの側部Ｓ（外周、外側）を、上側部突起５ＵＳＴの側部Ｓ（内周、内側）で固定することができるようにしてもよい。これにより第三状態をさらに安定して維持することができる。
接続カバー５は、上部５Ｕは、図４（Ｃ）に示すように内壁の下部Ｄ側に、側部Ｓの二方向（第１側部Ｓ１側と第２側部Ｓ２側）に一対の係合部として小溝部５ＵＭＤを形成している。
一対の小溝部５ＵＭＤは、前記係止部１２Ｋと係合できるように、第３側部Ｓ３側（第４側部Ｓ４側）から見て、いわゆる「略矩形状」に形成している。
小溝部５ＵＭＤと係止部１２Ｋの形態は相互に係合できれば、「略矩形状」、「略三角状」でも良い。
【００２６】
接続カバー５は、側部Ｓの四方向（第１側部Ｓ１側から第４側部Ｓ４側）に側壁５ＳＷ（５ＳＷＳ１、５ＳＷＳ２、５ＳＷＳ３、５ＳＷＳ４）を形成している。
側部Ｓの二方向（第３側部Ｓ３側と第４側部Ｓ４側）には、溝５ＭＤＬを形成した側壁５ＳＷ（５ＳＷＳ３、５ＳＷＳ４）を形成している。
溝５ＭＤＬは、大きくして、側壁５ＳＷ（５ＳＷＳ３、５ＳＷＳ４）の下部Ｄ側に、混注部材２０のフランジ２１Ｆの係止部５ＳＷＴ（５ＳＷＴＳ３、５ＳＷＴＳ４）を形成している。
【００２７】
係止部５ＳＷＴは、いわゆる「略くさび状」に形成している。
これにより接続アダプタ１０を装着した接続カバー５を装着することができる。
側壁５ＳＷ（５ＳＷＳ３、５ＳＷＳ４）は溝５ＭＤＬを大きく形成して、混注部材２０に装着するときに、変形して広がり、混注部材２０に装着しやすくしている。
また側部Ｓの二方向（第１側部Ｓ１側と第２側部Ｓ２側）には、混注部材２０のチューブ接続部２２の上部Ｕ（天面）に当接する溝５ＭＤＲを形成した側壁５ＳＷ（５ＳＷＳ１、５ＳＷＳ２）を形成している。溝５ＭＤＲは、側壁５ＳＷ（５ＳＷＳ１、５ＳＷＳ２）の下部Ｄ側に、いわゆる「略半円状」に形成している。
【００２８】
［混注部材２０］
例えば混注部材２０は、例えば図５、図６に例示するように、上部Ｕから下部Ｄ方向に向けて、キャップ２１Ｃ、栓体３０、本体２０Ｈ（ポート２１、チューブ接続部２２及びアダプタ保持部２３を含む）を有する。
本体２０Ｈは、いわゆる「略管状」のチューブ接続部２２を第１側部Ｓ１方向と第２側部Ｓ２方向に突設し、いわゆる「略板状」のアダプタ保持部２３を第３側部Ｓ３方向と第４側部Ｓ４方向に配置している。
ポート２１は、接続部２１Ｓを外周に形成している。接続部２１Ｓは、いわゆる「突状」（または凹凸状、螺子状ともいう）の形態を有する。
ポート２１は、内側に栓体３０（ゴム栓ともいう）を配置する空間を有する。
【００２９】
栓体３０は、図６に示すように、いわゆる背の低い略円柱状（ないし略円錐台状）の形態を有する。
上部Ｕ側に、突起部３１を突設している。突起部３１もさらに背の低い略円柱状（ないし略円錐台状、または肉厚の略円板状）の形態を有する。
突起部３１の上部Ｕ側に、いわゆる極浅い略凹状でかつ略Ｒ状の溝部３２を形成している。
溝部３２は、大きな第２の曲率を有する。第２の曲率の曲率半径：Ｒ２は後述する。
曲率半径Ｒ２は、アダプタ１０のＲ部１１Ｒの第１の曲率の曲率半径Ｒ１よりも大きく（Ｒ２＞Ｒ１）形成している。（図８（Ｂ）参照）
なお突起部３１の上部Ｕ側は、フラット（平坦）に形成してもよい。
【００３０】
突起部３１の外周３１Ｓは、いわゆる略垂直壁状（ストレート、実質的に傾斜していない）に形成している。
突起部３１の外周３１Ｓの上部Ｕ‐下部Ｕ方向の高さ（大きさ）：３１ＳＬは、突起部３１外周３１Ｓの最上部から最下部（突起部３１を除く栓体３０の最上部（天面））までの距離と定める。
突起部３１の溝部３２の深さ：３２Ｌは、突起部３１の略中心位置と定める。
３２Ｌは３１ＳＬよりも小さく（３２Ｌ＜３１ＳＬ）形成している。（図７（Ｂ）参照）
栓体３０は、下部Ｄ側の略中央部にいわゆる「略凹状」の溝部３７を形成している。
栓体３０は、突起部３１の略中心部の上部Ｕから、下部Ｄ側に向けて細孔３５を形成し、さらに細孔３５の下部Ｄ側に連続して、細孔３５よりも幅の広い孔３６を形成している。孔３６は溝部３７と連通している。
栓体３０の側部３０Ｓは、上部Ｕ側から下部Ｕ側に向けて下る、いわゆる「略テーパー」に形成している。すなわち栓体３０は上部Ｕ側から下部Ｄ側に向けて細径に形成している。
【００３１】
ポート２１と本体２０Ｈとの間にフランジ２１Ｆを配置している。
フランジ２１Ｆは、接続カバー５を混注部材２０に装着する際に、接続カバー５の下部５Ｕの下部Ｄ側のストッパーの役割を果たす。
ポート２１内に、栓体３０を装着（具体的には、外周３０Ｓをポート２１内に圧入する。）し、当該ポート２１の上部Ｕ側からキャップ２１Ｃを装着する。
キャップ２１Ｃは、略中央部は開口２１ＣＯしており、突起部３１の外周３１Ｓは、キャップ２１Ｃの開口部内周２１ＣＯＩに接触し、これらの間に段差、隙間等は、実質的になくなる。
【００３２】
次に本発明の接続器具１の操作方法の一例について例示する。
（接続／第一状態／オフ状態）
（１）接続アダプタ１０の末端部１１を、接続カバー５の上部開口５ＯＵから下部Ｄ方向に差し込むことができるように以下のように位置合わせを行う。
（２）接続アダプタ１０の係止部１２Ｋと接続カバー５の上部通路５ＰＵの位置を、それぞれ側部Ｓの二方向（第１側部Ｓ１−第２側部Ｓ２方向）の位置に合わせる。
（３）図８に示すように、接続アダプタ１０の末端部１１を、接続カバー５の上部開口５ＯＵから下部Ｄ方向に差し込む。接続アダプタ１０の鍔部１２Ｔは、上部突起５ＴＵを乗り越えて上部５Ｕの空間内に入り、係止部１２Ｋは、接続カバー５の上部通路５ＰＵの上部Ｕ側に差し込まれる。
鍔部１２Ｔの上部Ｕは、上部突起５ＴＵの下部に係合される。
これらの係合が抜け防止の役割を果たすので、第一状態（接続状態）を維持することができる。
この状態では、接続アダプタ１０と混注部材２０の液体流路ＬＰは遮断状態（閉）となっているので、この状態を「オフ状態」ということもある。
【００３３】
（第一状態から第二状態）
さらに接続アダプタ１０の末端部１１を、下部Ｄ方向に差し込むと、接続アダプタ１０の末端部１１は栓体３０の略中央に形成されている細溝３５を貫通する。
さらに接続アダプタ１０の末端部１１を、下部Ｄ方向に押しこむと、接続アダプタ１０の中間部１２の末端ＤＥ側（鍔部１２Ｔ）がキャップ２１Ｃの上部Ｕ側と接触する。
接続アダプタ１０の末端部１１は、これ以上接続カバー５方向に押しこむことはできない。
接続アダプタ１０の末端部１１の薬液注入口１１Ｏは、混注部材２０のポート２１の中央の液体流路ＬＰ内に到達する。
この状態では、接続アダプタ１０と混注部材２０の液体流路ＬＰは連通状態（開）となっているので、この状態を「セミオン状態」ということがある。
【００３４】
（第二状態から第三状態）
さらに、接続アダプタ１０を側部Ｓの二方向（第１側部Ｓ１−第２側部Ｓ２方向）から側部Ｓの二方向（第３側部Ｓ３−第４側部Ｓ４方向）に略９０度回転させる。略９０度の回転が終了したら、係止部１２Ｋが、接続カバー５の小溝部５ＵＭＤに係合する。係合するときに、音をたてて係合するので、作業者は、係合の状況を手の感触で感知することができる。
これらの係合が抜け防止の役割を果たすので、第三状態を維持することができる。
また側部Ｓの二方向（第３側部Ｓ３側と第４側部Ｓ４側）から見て、下部突起部１３ＴＤ（より正確には略中央部）と上側部突起５ＵＳＴの位置が重なるので、作業者は、第三状態を目視で容易に確認することができる。
この状態で、接続アダプタ１０の末端部１１の薬液注入口１１Ｏより、混注部材２０の本体２０Ｈの液体流路ＬＰ内に液体（血液、薬液等）を注入することができる。
この状態は、接続アダプタ１０と混注部材２０の液体流路ＬＰは連通状態（開）となっているので、この状態を「オン状態」ということがある。
【００３５】
（第三状態から第二状態、第一状態を経て接続アダプタ１０の取り外し）
接続アダプタ１０を側部Ｓの二方向（第３側部Ｓ３−第４側部Ｓ４方向）から側部Ｓの二方向（第１側部Ｓ１−第２側部Ｓ２方向）に略９０度回転させる。回転方向は順方向／時計回りが好ましいが、逆方向／時計回りでもよい。係止部１２Ｋと、接続カバー５の小溝部５ＵＭＤとの係合は解除される。（第二状態となる。）
接続アダプタ１０を上部Ｕ方向に引き上げることにより、再び第一状態（接続状態、オフ状態）に戻して、さらに接続アダプタ１０を接続カバー５から取り外すことができる。
【００３６】
薬液等の注入開始時に、アダプタ１０を接続カバー５に接続した時［前記段落の第一状態（接続状態、オフ状態）］ないし薬液等の注入終了後に、アダプタ１０を上部Ｕ側に引き上げた時［第一状態（接続状態、オフ状態）に戻った時］、接続アダプタ１０のＲ部１１Ｒ（第１の曲率）と、溝３２の略Ｒ部（第２の曲率）とは、密着するので、Ｒ部１１Ｒ（第１の曲率）は、栓体３０の突起部３１内に食い込んだ状態となる。
アダプタ１０の末端部１１の長さ１１Ｌは、混注部材２０上部５Ｕの通路５ＰＵの長さ５ＰＵＬよりも長く形成しているので、Ｒ部１１Ｒは（栓体３０の）突起部３１内部に食い込むことができる。
さらに、Ｒ部１１Ｒの曲率半径Ｒ１は、溝３２の曲率半径Ｒ２よりも小さく形成しているので、Ｒ部１１Ｒの略Ｒ状部分と、溝３２の内と外の境界部分（略Ｒ状部分、天面）とは密着する。
以上のように、続カバー５の下部５Ｄ内に位置する、アダプタ１０の外部［Ｒ部１１Ｒの略Ｒ状部分の外周（側面部）］をシールする機能を発現させることができるので、液密性を保持することができる。
【００３７】
さらに、突起部３１の外周３１Ｓは、キャップ２１Ｃの開口部内周２１ＣＯＩ側に押さえつけられるので、外周３１Ｓと開口部内周２１ＣＯＩとは実質的に密着する。
実質的に密着するとは、両者の間に若干の隙間があっても良いことを意味する。
したがって、薬液等の注入後、第一状態（接続状態、オフ状態）に戻った時、接続アダプタ１０内に薬液等が残っていても、薬液等が接続アダプタ１０の開口部１１Ｏから突起部３１の外部に漏れることはない。
また接続アダプタ１０が、長手方向の中心線Ｃ（図８（Ａ）参照）よりも、最大１０°の範囲内まで傾いても、Ｒ部１１Ｒの略Ｒ状部分と溝３２の上部（天面、略Ｒ状部分）の密着部分により、液密性は保持される。
さらに突起部３１の外周３１Ｓと開口部内周２１ＣＯＩとの間には、実質的に段差、隙間がなくなるので、外観が良くなり、溝３２の内部に残った薬液等の残液がふき取りやすくなる。
なお栓体３０の突起部３１の上部Ｕ側は、フラット（平坦）に形成しても、アダプタ１０の外部［Ｒ部１１Ｒの略Ｒ状部分の外周（側面部）］との間で、実質的な密着状態にして、シールする機能を発現させることができるので、実質的に液密性を保持することができる。
【００３８】
接続アダプタ（１０）の末端部（１１）のＲ部（１１Ｒ）の曲率半径を、曲率半径（Ｒ１）、
接続アダプタ（１０）の末端部（１１）の長さを、長さ（１１Ｌ）、
接続カバー（５）の上部通路（５）の長さを、長さ（５ＰＵＬ）、
栓体（３０）の突起部（３１）が溝部（３２）を有する場合、溝部（３２）の曲率半径を、曲率半径（Ｒ２）
栓体（３０）の突起部（３１）の高さを、高さ（３１ＳＬ）、
栓体（３０）の突起部（３１）の溝部（３２）の深さを、深さ（３２Ｌ）と定めて、
前記曲率半径（Ｒ１）、長さ（１１Ｌ）、長さ（５ＰＵＬ）、曲率半径（Ｒ２）、高さ（３１ＳＬ）、深さ（３２Ｌ）の大きさの関係を、不等号＞、＜、≧で表すと、
曲率半径（Ｒ１）＜曲率半径（Ｒ２）、
長さ（１１Ｌ）＞長さ（５ＰＵＬ）、
高さ（３１ＳＬ）≧深さ（３２Ｌ）、
となる。
【００３９】
各部材の実用上の寸法（サイズ）は、以下のとおりである。
［接続アダプタ（１０）］
曲率半径（Ｒ１）：１．０
長さ（１１Ｌ）：６．６ｍｍ
押込長（１１Ｌ２）：０．５ｍｍ
なお押込長（１１Ｌ２）は、０．３〜０．７ｍｍの範囲内でアダプタ１０内の残液の漏れはなかった。
［栓体（３０）の突起部（３１）］
曲率半径（Ｒ２）：１２．２
高さ（３１ＳＬ）：０．３ｍｍ
深さ（３２Ｌ）：０．２ｍｍ
突起部３１の外周３１Ｓとキャップ２１Ｃの開口部内周２１ＣＩＯとの間に、実質的に段差、隙間がなくなり、栓体３０の上部（Ｕ）の外観が良くなり、残液の拭き取り性も向上する。
図８（Ｂ）拡大図では、若干の段差、隙間があるように見えるが、寸法的には、１／１００ｍｍ以下であり、実使用上、段差、隙間はないに等しい。
【００４０】
栓体３０の突起部３１の溝３２が、第２の曲率［曲率半径（Ｒ２）］を有する場合は、曲率半径（Ｒ１）と曲率半径（Ｒ２）の大きさの関係は、曲率半径（Ｒ１）を１とすると、曲率半径（Ｒ２）は、１０以上に形成する。あまり小さい（１０未満）と、
溝３２が深くなりすぎるので好ましくない
長さ（１１Ｌ）と長さ（５ＰＵＬ）の関係は、長さ（１１Ｌ）を１００とすると、長さ（５ＰＵＬ）は、９９．３〜９９．７に形成する。９９．７を超えると、接続アダプタ１）の末端部１１のＲ部１１Ｒが、栓体３０の突起部３１内に入りにくくなる。
９９．３未満では、Ｒ部１１Ｒが、栓体３０の突起部３１内に深く入りすぎる。
高さ（３１ＳＬ）と深さ（３２Ｌ）の関係は、高さ（３１ＳＬ）を１００とすると、
深さ（３２Ｌ）は、０〜１００に形成する。１００を超えると、深くなりすぎる。
０に近づくほど、突起部３１の上部Ｕ側は、フラット（平坦）になる。
【００４１】
本発明の接続器具１を構成する接続アダプタ１０、接続カバー５及び混注部材２０の各構成部材（例えば接続アダプタ１０の係止部１２Ｋ、下部突起１３ＴＤ、接続カバー５の段部５ＵＤ、上部突起５ＴＵ、小溝部５ＵＭＤ、上側部突起５ＵＳＴ等）は、前記したように相互に係止、係合、誘い（支持、ガイド）等が可能な形態（形状、構造）であって、本発明の目的を達成できる形態であれば、前記した説明、図面に記載したものに限定されない。
【００４２】
例えば、図１１に例示する接続アダプタ１０Ｌは、図１（図２）の接続アダプタ１０の下部突起部１３ＴＤに代えて、下部突起部１３ＴＤＬを形成したものである。
なお下部突起部１３ＴＤＬ以外の形態は、接続アダプタ１０と実質的に同じであるから詳細な説明は省略する。
すなわち、下部突起部１３ＴＤＬは、側部Ｓの二方向（第１側部Ｓ１−第２側部Ｓ２側）に形成した一対の係止部１２Ｋに対して、当該係止部１２Ｋと略９０度交差する他の側部Ｓの二方向（第３側部Ｓ３と第４側部Ｓ４側）に一対形成している。
さらに下部突起部１３ＴＤＬは、いわゆる「翼状」の形態を有し、下部突起部１３ＴＤと比較して大幅に第３側部Ｓ３と第４側部Ｓ４方向に突設している。
【００４３】
下部突起部１３ＴＤＬの側部Ｓ方向の長さ１３ＴＤＬＬ（図１１に示すように下部突起部１３ＴＤＬの側部Ｓ方向の略中心から側部Ｓ方向の長さ）は、接続カバー５の下部５Ｄの天面壁５ＤＵＷの側部Ｓ方向の長さ５ＤＵＷＬ（図１１に示すように接続カバー５の上部５Ｕの下部Ｄから側部Ｓ方向の長さ）に対して、長さ１３ＴＤＬＬ：１００とすると、長さ１３ＴＤＬＬは、６０から１２０、好ましくは８０から１００に形成する。
すなわち作業者（医師、看護師、透析技師等）が指を掛けて操作できる程度に、また後述するように、オン状態とオフ状態が確認しやすいように形成している。
前記「翼状」の形態は、見る方向にもよるが、その他にいわゆる「略板状」ともいう。
長さ１３ＴＤＬＬはあまり小さい（６０未満）と前記機能を発揮しがたく、あまり大きい（１２０を超える）と操作の妨げになる。
【００４４】
接続アダプタ１０Ｌを図１１のように形成することにより、図１２（オフ状態）と図１３（オン状態）に示すように、図１２（オフ状態）では、下部突起部１３ＴＤＬは、混注部材２０のチューブ接続管２２の長手方向と略９０度交差した方向を向いた状態となる。また図１３（オン状態）では、下部突起部１３ＴＤＬは、同チューブ接続管２２の長手方向と実質的に略平行状態となる。
これにより作業者（医師、看護師、透析技師等）は、オン状態とオフ状態を容易に視認することができる。
【００４５】
図１（図２）の接続アダプタ１０に代えて、図１１の接続アダプタ１０Ｌを有する接続器具１は、前記以外は、図１（図２）の接続アダプタ１０を有する接続器具１と実質的に同様に使用することができるので、詳細な説明は省略する。
【００４６】
また接続カバー５は、図１１（図１２）に示すように、下部５Ｄの天面壁５ＤＵＷに、チューブ接続管２２の長手方向[図１１（図１２）では、側部Ｓの二方向（第１側部Ｓ１と第２側部側）]に沿うように一対のマーカー５Ｍを形成することができる。
マーカー５Ｍは、図１１（図１２）の例示では、接続アダプタ１０ＳＬの長手方向の中心から、第１側部Ｓ１方向と第２側部Ｓ２方向に向けた、いわゆる「矢印」の形態であるが、その他、略矩形状、略円形等の形態でもよい。
これにより作業者（医師、看護師、透析技師等）は、オフ状態からオン状態への操作を容易に視認することができる。
【００４７】
また接続アダプタ１０Ｌも図１（図２）の接続アダプタ１０と同様に、接続部材１３の基端ＰＥ側にキャップ１５を装着することができる。
また接続アダプタ１０、１０Ｌは、図１１（図１２）に示すように、キャップカバー１５ＬＣ付きのキャップ１５Ｌを装着し、基端ＰＥ側から二−ドレス部材（先端が非鋭利で細長い管状の部材）を接続することができる。
【００４８】
（材料）
接続アダプタ１０、１０Ｌと、接続カバー５及び混注部材２０の材料は、ポリプロピレン、ポリカーボネート等、射出成形等により一体成形できる材料であれば何でも使用できる。
【符号の説明】
【００４９】
１  接続器具
５  接続カバー
５Ｕ  上部
５ＵＳＴ  上側部突起
５ＵＭＤ  小溝部（係合部）
５ＵＤ段部
５Ｄ  下部
５ＤＵＷ  天面壁
５ＯＵ  上部開口
５ＰＵ  上部通路
５ＭＤ  溝
５ＭＤＲ  溝
５ＭＤＬ  溝
５ＴＵ  上部突起
５ＳＷ    側壁
５ＳＷＴ  係止部
５Ｍ  マーカー
１０  接続アダプタ
１０Ｌ  接続アダプタ
１１    末端部   
１１Ｏ  薬液注入口
１１Ｒ  Ｒ部
１２    中間部
１２Ｋ  係止部
１２Ｔ  鍔部
１３    接続部
１３Ｔ  突起部
１３ＴＤ  下部突起部
１３ＴＤＬ  下部突起部
１５  キャップ
１５Ｌキャップ
１５Ｎ  接続部（螺子部）
１５ＬＣ  キャップカバー
ＰＥ  基端
ＤＥ  末端
Ｓ１  第１側部
Ｓ２  第２側部
Ｓ３  第３側部
Ｓ４  第４側部
Ｕ    上部
Ｄ    下部
２０    混注部材
２１    ポート
２１Ｈ  （混注部材）本体
２１Ｆ  フランジ
２１Ｃ    キャップ
２１ＣＯ  開口部
２１ＣＯＩ開口部内周
ＬＰ    液体流路
２１Ｓ  接続部（凹凸、螺子）
２２    チューブ接続部
２３    アダプタ保持部
３０    栓体
３０Ｓ  外周
３１    突起部
３１Ｓ  外周
３２    溝部
３５    細孔（スリット）
３６    孔
３７    溝部
ＮＬ  ニードルレス部材
【図１】
2016154843.tif 000003
【図２】
2016154843.tif 000004
【図３】
2016154843.tif 000005
【図４】
2016154843.tif 000006
【図５】
2016154843.tif 000007
【図６】
2016154843.tif 000008
【図７】
2016154843.tif 000009
【図８】
2016154843.tif 000010
【図９】
2016154843.tif 000011
【図１０】
2016154843.tif 000012
【図１１】
2016154843.tif 000013
【図１２】
2016154843.tif 000014
【図１３】
2016154843.tif 000015
【図１４】
2016154843.tif 000016
【手続補正書】
【提出日】平成28年1月12日(2016.1.12)
【手続補正２】
【補正対象書類名】図面
【補正対象項目名】図１１
【補正方法】変更
【補正の内容】
【図１１】
2016154843.tif 000017
【手続補正３】
【補正対象書類名】図面
【補正対象項目名】図１２
【補正方法】変更
【補正の内容】
【図１２】
2016154843.tif 000018
【手続補正４】
【補正対象書類名】図面
【補正対象項目名】図１３
【補正方法】変更
【補正の内容】
【図１３】
2016154843.tif 000019